(57)【要約】【課題】断面が上下二層構造の電池を電池収納部に収納した場合に、上下二層にずれが発生した場合でも電池のがたつきを防止する携帯通信機器の電池収納構造の提供。【解決手段】電池５を収納する桶部２ａを構成する筺体２の側壁に側壁２ｂと２ｃで構成される段差を設けることにより、電池の上ケース５ａが下ケース５ｂよりも右側にずれていても、電池５の収納は電池５の下ケース５ｂのみで調整しているため、また上ケース５ａは筺体２側が電池の上ケース５ａを逃げた形状になっているため、電池５の組み立てずれを吸収することができる。【選択図】      図８
2004362899.tif 000002
【特許請求の範囲】
【請求項１】
断面が上下二層構造の電池を用いる携帯通信機器の電池収納構造であって、
前記電池を収納する電池収納部の側壁に段差が設けられることを特徴とする携帯通信機器の電池収納構造。
【請求項２】
前記電池収納部は桶状に形成され、開口部に近い方の側壁が底面部に近い方の側壁よりも幅広に形成されることを特徴とする請求項１記載の携帯通信機器の電池収納構造。
【請求項３】
前記底面部に近い方の側壁の高さは前記電池の下層部の高さよりも低く形成されることを特徴とする請求項２記載の携帯通信機器の電池収納構造。
【請求項４】
前記電池に凸部と電源端子とが設けられ、前記電池収納部に前記電池の凸部を係止させる凹部と、前記電池の電源端子と接触する本体端子とが設けられることを特徴とする請求項１から３いずれかに記載の携帯通信機器の電池収納構造。
【請求項５】
前記電池の凸部を前記電池収納部の凹部に係止させ前記電池を回転させることにより前記電池の電源端子と前記電池収納部の本体端子とが接触することを特徴とする請求項４記載の携帯通信機器の電池収納構造。
【請求項６】
前記電池収納部を覆う蓋部を含むことを特徴とする請求項１から５いずれかに記載の携帯通信機器の電池収納構造。
【請求項７】
前記携帯通信機器は折り畳み式に形成され、いずれか一方の筺体に前記電池収納部が設けられることを特徴とする請求項１から６いずれかに記載の携帯通信機器の電池収納構造。
【請求項８】
前記携帯通信機器は一体型に形成され、その筺体に前記電池収納部が設けられることを特徴とする請求項１から６いずれかに記載の携帯通信機器の電池収納構造。
【発明の詳細な説明】
【０００１】
【発明の属する技術分野】
本発明は、携帯通信機器の電池収納構造に関し、特に断面が上下二層構造の電池を用いる携帯通信機器の電池収納構造に関する。
【０００２】
【従来の技術】
従来の携帯通信機器の電池収納構造の一例として、電池を収納する凹部２と、蓋体３とのがたつきを防止するために、凹部２の底面に弾性舌片４ａ、４ｂを設け、この舌片により蓋体３を常時上方に弾力的に押し上げるようにした技術が知られている（特許文献１参照）。
【０００３】
又、他の一例としてコイルばね３の力により電池のがたつきを防止する技術が知られている（特許文献２参照）。
【０００４】
さらに、他の一例としてバッテリ側係合部９ａ〜１１と収納部側係合部５〜７とを係合させてバッテリ３を収納部４に収納し、収納部４底部に設けた端子ピン１４によりバッテリ３を上方に押し上げる構成により、バッテリ３のがたつきを防止する技術が知られている（特許文献３及び４参照）。
【０００５】
しかし、これらの技術には単に電池（  又はバッテリ）  のがたつきを防止するための電池収納部の構造が示されているだけであり、本発明の目的とする断面が上下二層構造の電池に対する電池収納部の構造とは目的が全く相違し、それらの構成、作用、効果も本発明と全く相違する。従って、これらの従来技術から本発明を想到することは困難である。
【０００６】
【特許文献１】
特開平９−２２６８４号公報（段落０００８、図１）
【０００７】
【特許文献２】
特開平９−５１３６８号公報（段落００１４、図２）
【０００８】
【特許文献３】
特開平１１−３５４０９０号公報（段落００２１〜２３、図１）
【０００９】
【特許文献４】
特許第２９５４１６６号公報（段落００２１〜２３、図１）
【００１０】
【発明が解決しようとする課題】
一方、携帯通信機器に断面が上下二層構造の電池が用いられる場合がある。断面が上下二層構造の電池の一例が図１２（Ａ）に示されている。同図を参照すると、電池５は上ケース（上層部）５ａと、下ケース（  下層部）  ５ｂとから構成されている。上ケース５ａと下ケース５ｂとは、例えば超音波溶着あるいは接着剤等で接着されている。なお、５ｄは電池の電源端子である。
【００１１】
しかし、電池５の上ケース５ａと下ケース５ｂとに組み立て等による前後左右のずれが発生する場合がある。図１２（Ｂ）は上ケース５ａが下ケース５ｂよりも左側にずれている場合を示し、図１２（Ｃ）は上ケース５ａが下ケース５ｂよりも右側にずれている場合を示している。なお、上ケース５ａと下ケース５ｂとが前後にずれている場合も左右にずれている場合と同様に説明が可能であるが、図示を省略する。
【００１２】
電池５の上ケース５ａと下ケース５ｂとに上記ずれが発生した場合、その電池５を電池収納部に収納できなくなるおそれがある。また、これを防止するために電池収納部を大きくすると、電池５のがたつきが発生するおそれがあり、最悪の場合は電源が切れるという不具合が発生する。
【００１３】
そこで、本発明の目的は、断面が上下二層構造の電池を電池収納部に収納した場合に、上下二層にずれが発生した場合でも電池のがたつきを防止することが可能な携帯通信機器の電池収納構造を提供することにある。
【００１４】
【課題を解決するための手段】
前記課題を解決するために、本発明による携帯通信機器の電池収納構造は、断面が上下二層構造の電池を用いる携帯通信機器の電池収納構造であって、前記電池を収納する電池収納部の側壁に段差が設けられることを特徴とする。
【００１５】
すなわち、本発明によれば、電池収納部の側壁に段差が設けられているため、電池の上層部のずれをこの側壁の段差で逃がすことが可能となり、これにより電池のがたつきを防止することが可能となる。
【００１６】
【発明の実施の形態】
以下、本発明の実施の形態について添付図面を参照しながら説明する。図１は本発明に係る携帯通信機器の電池収納構造の一例の断面図である。同図を参照すると、同図（Ａ）は電池カバー（蓋部）６の断面を、同図（Ｂ）は前述の電池５の断面を、同図（Ｃ）は桶部（電池収納部）２ａの断面をそれぞれ示している。
【００１７】
同図（Ｃ）を参照すると、桶部２ａは開口部に近い方の側壁２ｃが底面部に近い方の側壁２ｂよりも幅広に形成されている。また、内部基板４に電池５に電源を供給するための本体端子３が設けられている。なお、２は携帯通信機器の筺体を示している。
【００１８】
図２は図１の側壁２ｂおよび２ｃの構成（図１にＡと表示した部分）の詳細を示す拡大図である。図２に示すように、桶部２ａの側壁２ｂの高さｎは電池５の下ケース５ｂの高さｍよりも低く形成されている（ｎ＜ｍ）。
【００１９】
図３は携帯通信機器の一例の筺体２の構成図である。同図において前述と同様の構成部分には同一番号を付し、その説明を省略する。同図には一例として折り畳み式携帯通信機器１の一例の筺体が示されている。折り畳み式携帯通信機器１は、例えば、一方の筺体に表示部が設けられ、他方の筺体にキーボード部が設けられ、両筺体がヒンジ等により開閉自在に接続されたものが一般的である。本実施形態の場合、桶部２ａはキーボード部側の筺体２に設けられる場合を示している。しかし、桶部２ａを表示部側の筺体に設けることも可能である。
【００２０】
同図を参照すると、桶部２ａの下方の側壁には電池５の凸部（後述する）を係止させるための凹部２ｄが設けられている。
【００２１】
図４は本発明で用いる電池５の一例の平面図である。同図を参照すると電池５の下部側面には、前述の桶部２ａの下方の側壁に設けた凹部２ｄに係合させるための凸部５ｃが設けられている。
【００２２】
図５は桶部２ａに電池５を収納した場合の筺体２の外観図である。ただし、同図は電池カバー６をはずした状態を示している。電池５の凸部５ｃを桶部２ａの凹部２ｄに係止させ電池５を回転させることにより電池５の電源端子５ｄと桶部２ａの本体端子３とが接触する。これにより、電源を携帯通信機器１に供給することが可能となる。
【００２３】
図６は桶部２ａを電池カバー６で覆った場合の筺体２の外観図である。
【００２４】
図７は上下カバーにずれが生じていない電池５を桶部２ａに収納した場合の電池収納構造の断面図である。これに対し、図８は上下カバーにずれが生じている電池５を桶部２ａに収納した場合の電池収納構造の断面図である。図８は上ケース５ａが下ケース５ｂよりも右側にずれている電池５を桶部２ａに収納した場合を示している。
【００２５】
同図に示すように、電池５を収納する桶部２ａを構成する筺体２の側壁に側壁２ｂと２ｃで構成される段差を設けることにより、電池の上ケース５ａが下ケース５ｂよりも右側にずれていても、電池５の収納は電池５の下ケース５ｂのみで調整しているため、また上ケース５ａは筺体２側が電池の上ケース５ａを逃げた形状になっているため、電池５の組み立てずれを吸収することができ、桶部２ａの本体端子３と電池５の電源端子５ｄとの接続信頼性の向上を図ることが可能となる。
【００２６】
なお、図８を参照すると、桶部２ａの左側の側壁には段差は設けられていないが、もともと電池５の上ケース５ａに対応する桶部２ａの左側の側壁は存在しないため、上ケース５ａが下ケース５ｂよりも左側にずれていてもそのずれを筺体２側で逃がすことができる。また、桶部２ａの右側の側壁と同様に左側の側壁にも段差を設けることにより、上ケース５ａの左側へのずれを筺体２側で逃がすことができる。
【００２７】
図９及び図１０は桶部２ａの下方側壁に段差を設けた場合の電池収納構造の断面図である。図９及び図１０に示すように桶部２ａの下方側壁に側壁２ｂ及び側壁２ｃで構成される段差が設けられている。図９は上下にずれが生じていない電池５が桶部２ａに収納されている場合を示している。
【００２８】
一方、図１０は上ケース５ａが下ケース５ｂよりも下方向にずれている電池５が桶部２ａに収納されている場合を示している。しかし、桶部２ａの下方側壁には段差が設けられているため、上ケース５ａの下方向のずれを筺体２側で逃がすことができる。
【００２９】
なお、図９及び図１０を参照すると、桶部２ａの上方側壁には段差は設けられていないが、もともと電池５の上ケース５ａに対応する桶部２ａの上方の側壁は存在しないため、上ケース５ａが下ケース５ｂよりも上方向にずれていてもそのずれを筺体２側で逃がすことができる。また、桶部２ａの下方側壁と同様に上方側壁にも段差を設けることにより、上ケース５ａの上方向へのずれを筺体２側で逃がすことができる。
【００３０】
図１１は本発明に係る電池収納構造を一体型携帯通信機器に適用した場合の携帯通信機器の一例の平面図である。なお、同図は電池カバー６をはずした状態を示している。同図に示すように、本発明に係る電池収納構造を一体型携帯通信機器１０に適用することが可能である。
【００３１】
なお、本実施形態では桶部２ａの本体端子３を桶部２ａの左側に設け（図３参照）、この本体端子３に対応する電池５の電源端子５ｄを電池５の左側に設けたが（図１（Ｂ）参照）、取り付け位置はこれらに限定されるものではなく、本体端子３については桶部２ａの側面でも底面でもよく、電源端子５ｄについては本体端子３の取り付け位置に対応する任意の位置でよい。
【００３２】
【発明の効果】
以上説明したように本発明によれば、電池収納部の側壁に段差を設けたため、断面が上下二層構造の電池を電池収納部に収納した場合に、上下二層にずれが発生した場合でも電池のがたつきを防止することが可能となる。これにより、桶部２ａの本体端子３と電池５の電源端子５ｄとの接続信頼性の向上を図ることが可能となる。
【図面の簡単な説明】
【図１】本発明に係る携帯通信機器の電池収納構造の一例の断面図である。
【図２】図１の側壁２ｂおよび２ｃの構成（図１にＡと表示した部分）の詳細を示す拡大図である。
【図３】携帯通信機器の一例の筺体２の構成図である。
【図４】本発明で用いる電池５の一例の平面図である。
【図５】桶部２ａに電池５を収納した場合の筺体２の外観図である。
【図６】桶部２ａを電池カバー６で覆った場合の筺体２の外観図である。
【図７】上下カバーにずれが生じていない電池５を桶部２ａに収納した場合の電池収納構造の断面図である。
【図８】上下カバーにずれが生じている電池５を桶部２ａに収納した場合の電池収納構造の断面図である。
【図９】桶部２ａの下方側壁に段差を設けた場合の電池収納構造の断面図である。
【図１０】桶部２ａの下方側壁に段差を設けた場合の電池収納構造の断面図である。
【図１１】本発明に係る電池収納構造を一体型携帯通信機器に適用した場合の携帯通信機器の一例の平面図である。
【図１２】断面が上下二層構造の電池の一例の断面図である。
【符号の説明】
１  折り畳み式携帯通信機器
２  筺体
２ａ  桶部
２ｂ、２ｃ  側壁
２ｄ  凹部
３  本体端子
４  内部基板
５  電池
５ａ  上ケース
５ｂ  下ケース
５ｃ  凸部
５ｄ  電源端子
６  電池カバー
１０  一体型携帯通信機器
【図１】
2004362899.tif 000003
【図２】
2004362899.tif 000004
【図３】
2004362899.tif 000005
【図４】
2004362899.tif 000006
【図５】
2004362899.tif 000007
【図６】
2004362899.tif 000008
【図７】
2004362899.tif 000009
【図８】
2004362899.tif 000010
【図９】
2004362899.tif 000011
【図１０】
2004362899.tif 000012
【図１１】
2004362899.tif 000013
【図１２】
2004362899.tif 000014